(57)【特許請求の範囲】
【請求項１】
作業する垂直線上で回転運動及び直線運動としてハンマードリルの出力を行う野球用捕球具成形装置であって、
前記ハンマードリルの出力側の軸心を同芯にして設けた半球体からなる仮想ボール体と、
前記ハンマードリルの出力側にある締付チャックよりも下部、前記仮想ボール体よりも上部に位置する冷却機構と、
前記冷却機構及び前記仮想ボール体の間で構成された作業シャフトと
を具備することを特徴とする野球用捕球具成形装置。                                                                            
【発明の詳細な説明】
【技術分野】
【０００１】
本発明は、硬式野球、軟式野球、ソフトボール等の球技の野球用捕球具(野球グラブ等)、例えば、野球グラブ(野球グローブ)、ミット等に関するもので、特に、新品の野球グラブ、ミット等が受ける球筋を一義的に決めることができ、硬式野球、軟式野球、ソフトボール、外野手用グラブ、内野手用グラブ等の特定球筋に案内すべく野球用捕球具に使用する野球用捕球具成形装置に関するものである。
【背景技術】
【０００２】
この種の野球用捕球具の従来技術として、特許文献１の技術を挙げることができる。
図１に示す特許文献１の技術、例えば、捕球側の皮革にヒマシ油等の植物油２を加熱しながら浸透させ、かつ、前記皮革１に植物油２を浸透させた部分の裏面にポリウレタン樹脂層３を設け、前記ポリウレタン樹脂層３は前記ポリウレタン樹脂層３の加熱終了後に再度皮革１を加熱した後、ポリウレタン樹脂を塗付して形成している。
【０００３】
特許文献１の特開昭５６−１５１０７２号公報の野球用捕球具に関し、捕球を容易化すると共に野球用捕球具の強度を向上させている。野球用捕球具は、例えば、牛皮等の皮革１で形成されているが、それが新しいときには、比較的曲面加工を施しても容易に癖がつき難い。
したがって、野球用捕球具等、植物油２を塗布して皮革１を柔軟にしているが、油を塗布して皮革１を柔らかすぎると、曲率が大きくできることになる。その反面、皮革１の繊維質が伸びやすくなって、型崩れし易くなり、それが落球となる可能性もある。
また、野球用捕球具の寿命を短くする可能性もある。また、皮革の繊維質の変形を少なくして、型崩れ等を防ぐことも知られている。しかし、皮革１の柔軟性を低下させるから捕球の際に落球する可能性を有している。
【０００４】
本実施の形態について説明する。
図１に示す捕球側の皮革１の形状は、皮革１の捕球を反復する部分で、裏面全体に皮革１を軟化させる植物油２、例えば、図１に示すように、ヒマシ油を塗布し、それを金型４で加熱して皮革１に浸透させる。この加熱は、塗布した植物油２を皮革１に浸透させるものであるから、その目的を達することができる温度と時間を選択すればよく、６０〜１００℃程度の温度で２０〜６０秒程度加熱可能であればよい。
【０００５】
加熱に使用する金型４は、一対の金型４または一方を金型４、他方をゴムで形成した。加熱時における一対の金型４は、それらの間に皮革１を挾持して加熱すればよく、特に、加圧は不要で、軽く一対の金型４を接合させる程度、例えば、１Ｋｇ〜３Ｋｇ程度の圧力でよい。
【０００６】
捕球側の皮革１にヒマシ油等の植物油２を加熱状態で浸透させ、前記皮革１の植物油を浸透させた部分の裏面にポリウレタン樹脂層３を設け、ポリウレタン樹脂層３は前記加熱終了後に再度皮革１を加熱し、ポリウレタン樹脂層３を塗付して形成した野球用捕球具に特徴を有する。
【０００７】
具体的には、ヒマシ油に対するポリウレタン樹脂層３の１回目の加熱が終了した皮革１は、浸透した植物油２のために柔軟状態となっている。植物油２を浸透させた皮革１は、再度１回目と同様な金型４で加熱する。この２回目の加熱時には、なにも塗布することなく１００〜１７０℃程度の温度で、３０〜１２０秒間程度加熱する。２回目の加熱時も、圧力は特に特定値は不要で、例えば、圧力２〜５Ｋｇ程度であればよい。
【０００８】
２回目の加熱終了後、皮革１の裏面で、ヒマシ油等に代わる植物油２を塗布した部分の下に塗付硬化させたポリウレタン樹脂層３を形成する。この２回目の加熱は、油を浸透させた皮革１を加熱して、それに対するポリウレタン樹脂層３の塗布を容易化する。皮革１の裏面を乾燥状態としてポリウレタン樹脂層３の付着性をよくするものである。
そして、温度と時間の関係は、前記目的を達するために一例として示したもので、前記目的を達成できるならば、皮革に対する影響のない範囲で更に高温にしても、低温にしてもよく、時間についても、温度に対応して短かくしたり、長くすることができる。
【０００９】
このように、ポリウレタン樹脂層３の塗付時には、皮革１が加熱されているから、斑なく容易に塗付できる。そして、皮革１の裏面は粗面であり、その表面部は２回目の加熱によって乾燥状態になっているから、ポリウレタン樹脂層３は容易に強固に付着する。このように処理した皮革１を縫製して野球用捕球具を成形装置で成形することができる。
しかし、野球用捕球具の皮革１にポリウレタン樹脂層３の塗付を行うと、ポリウレタン樹脂層３の塗付の厚みによっては野球用捕球具成形装置の弾性が変化する。ポリウレタン樹脂層３を発泡体としたものでは、発泡条件によって弾性が大きく変化する可能性を持ち、野球用捕球具の形態は同一であっても、野球用捕球具の弾性が変化し、特性が大きく異なる場合がある。
【００１０】
経験の豊富な野球選手であれば、自分のプレーに合った野球グラブの選定は、さほど難しいことではないが、学童野球の子供達（特に初めて野球を始める子供達）にとっては、その選定には難しいものがある。
両親が野球選手または草野球選手の経験者で、子供に対して適切な野球グラブ購入、メンテナンスの指示を与えることのできる子供は、野球選手の経験者にあっては幸運である。
逆に、両親が野球を知らない場合、また、子供が本格的に野球を続けるかどうかという親心に駆られて、一時的に捕球構造的に問題はあるものの、コストパフォーマンスでは優れている合成皮革製の野球グラブ等を買い与えられた子供は幸運でない。
【００１１】
更に、合成皮革製の野球グラブを買ってもらった子供達は、合成皮革が天然皮革に比べて、使い込む程に応じて馴染んでゆくが、基本的に特性が異なるため、なかなか手に馴染んでくれない。天然皮革製の野球グラブの場合、捕球構造上問題を抱えた野球グラブでも、練習を続けていくうちに、徐々に手に馴染ませて引くことができる。しかし、合成皮革の場合は、それが大変難しい。
【００１２】
また、図示しない軟式野球ボールは、ゴム製の中空ボールであり、硬式の天然皮革の野球ボール１００に比べ、大変弾み易いという特性を有している。グラブに当たっても、弾いてしまうので、大変捕球がしづらい。
この弾みやすく、グラブで捕球しづらいボールを、学童野球では安全のため、あえて使用しているが、このことは、一生懸命練習してもなかなか上達できないという野球離れの心の動きを青少年に持たせている可能性がある。
【００１３】
特に、弾む軟式野球ボールを捕球し易い野球グラブの指数の数が、市場に大量に出回り、逆に、硬式野球の道具が欠乏している現実が見過ごされている可能性もある。
握力の弱い学童でも、容易に捕球面の開閉ができ、弾む軟式野球ボールを、スッポリと確実に捕球することができ、軟式野球ボール用の学童野球専用グラブを開発する必要がある。学童の弱い握力でも容易に捕球面を開閉できるような、野球グラブの材料を使用することが必要である。
【００１４】
例としては、通常の野球のグラブ材よりも薄くすいた皮革、床革、ピッグスキン、柔らか目で弾力性がある合成皮革等が挙げられる。
そのような柔らかい野球グラブ１００の材料を使用することにより、野球ボールが捕球面に触れる瞬間に捕球面を素早く閉じることができることが必要である。
【先行技術文献】
【特許文献】
【００１５】
【特許文献１】特開昭５６−１５１０７２号公報
【特許文献２】特開２０１７−１１３３１３号公報
【特許文献３】意匠登録第１５６１１１９号公報
【発明の概要】
【発明が解決しようとする課題】
【００１６】
特許文献２の特開２０１７−１１３３１３号公報には、握力の弱い学童でも、容易に捕球面の開閉ができ、弾む軟式野球ボールを確実に捕球することができる軟式野球グラブを提供している。また、軟式野球グラブの捕球面に弾性と柔軟性に富んだ弾性物質を強固に付着させ、その物質の弾性と柔軟性によって、飛来してきたゴム製の軟式野球ボールまたは硬式野球グラブを捕球面に固着、捕球することができる技術を開示している。
【００１７】
また、特許文献３の意匠公報には、野球グラブのボールの誘導路に円または長円を穿孔するとともに、そこに紐を通すことにより、野球グラブのセンターの弾性を低くしている。しかし、野球グラブの弾性を低くするために、円または長円を穿孔し、そこに紐を通し、弾性を変化させている。特に、野球グラブに円または長円を穿孔し、そこに紐を通すことから、最初の野球グラブの理解前に、野球グラブが慣れた後を予測し、加工を施すことは素人にとっては困難なことである。
【００１８】
そこで、特許文献１乃至特許文献３においては、上記問題点を解消し、ポリウレタン樹脂層の被膜層を使用することなく、皮革に繰り返しの荷重変化を与え、合成樹脂層を使用することなく、また、円または長円を穿孔し、そこに紐を通して弾性を変化させ積層させてバイパスを人差し指、中指に超させると殆ど人差指、中指に力は入らない。また、従来の特許文献１乃至特許文献３では対応できない。また、人の指の長さは大きく違いが出てくるのにたいし、参酌されていないのが一般的である。そこで、新規な野球用捕球具成形装置の提供を課題とするものである。
【課題を解決するための手段】
【００１９】
請求項１の発明は、締付チャックの中心にあるハンマードリル出力を受けて、前記ハンマードリル出力の中心線(仮想中心も含む)で回転運動及び直線運動を行う野球用捕球具成形装置にあって、前記締付チャックの中心にある前記ハンマードリル出力である前記直線運動及び前記回転運動を行う当該中心線上に配設した下部が半球体からなる仮想ボール体と、前記中心線の運動を行い、前記ハンマードリル出力よりも下部、前記仮想ボール体よりも上部に位置するものである。
【００２０】
発熱は、締付チャックの下部が仮想ボール体の垂直から仮想ボール体の振子の移動分だけ前記ハンマードリル出力(締付チャックの中心)以下の下部に位置するから、前記仮想ボール体の上部に位置する間はフィン長等の冷却機構を持つのが望ましい。また、冷却機構は、前記ハンマードリル出力以下で、前記仮想ボール体の上部との間に配設するのが望ましい。
【００２１】
そして、作業シャフトの前記下部が半球体からなり、前記ハンマードリル出力よりも下部、前記仮想ボール体部よりも上部に位置する上端部は、野球用捕球具成形装置の操作のし易い空間を形成できればよい。
前記下部が半球体とは、球を１／２にした半球のみを意味するものではなく、楕円が３次元を描く１／２または１／１〜１／５の意味するものでもよい。
【発明の効果】
【００２６】
請求項１の発明の野球用捕球具成形装置は、左右の回転運動及び直線的に伸縮する直線運動を行い、そのハンマードリル出力として回転運動及び直線運動を行うハンマードリル出力を用いる野球用捕球具の形を整える成形装置は、具体的には、マキタ(Ｍakita)ＨＲ２６３１Ｆで、ここで「マキタ」は「商標」で、ＨＲ２６３１Ｆは「製品番号」である。本実施の形態では、ＨＲ２６０１Ｆ、ＨＲ２３００１Ｆ、ＨＲ４０３０Ｃ、ＨＲ２０２ＤＺＫ等のハンマードリルは、本実施の形態として使用でき、格別の左右の回転運動から伸縮する回転及び直線運動を行い、その出力として回転及び直線運動を行うハンマードリル出力を格別に用意しなくとも、格別な機構を用意しなくとも専用機として使用できる。
【００２７】
また、前記ハンマードリル出力である前記中心線上に配設した仮想ボール体は、下半分が半球体からなる。仮想ボール体の下半分が半球体からなるのは、最下端が野球グラブの弾性を弱くする箇所に弾性力を強く充てるもので、単位面積当たりの外力が大きくなるようにしている。勿論、底面は平面としてもよいが、曲面とした方が、何れかの場所で、野球グラブの圧力を上げることができるから好適である。
【００２８】
そして、前記ハンマードリル出力よりも下部、前記仮想ボール体よりも上部に位置する放熱フィン、即ち、冷却機構は、野球用捕球具成形装置として相対する振動により、発熱するので、事前に放熱して装置の寿命を長くすることができる。
冷却機構は、アルミニウム板または銅板で形成しているから、熱交換が効率良く行うことができる。
【図面の簡単な説明】
【００３３】
【図１】図１は従来の野球用捕球具成形装置の層の厚みの全体の構成例である。
【図２】図２は本発明の実施の形態の野球用捕球具成形装置の実施例を示すものである。
【図３】図３は本発明の実施の形態の野球用捕球具成形装置で野球グラブを処理する途中の実施例１を示すものである。
【図４】図４は本発明の実施の形態の野球用捕球具成形装置の摺動案内を取り付けた全体の構成例である。
【図５】図５は本発明の実施の形態の野球用捕球具成形装置の摺動案内の無い全体の構成例である。
【図６】図６は本発明の実施の形態の野球用捕球具成形装置の摺動案内を特定する範囲の構成例である。
【図７】図７は本発明の実施の形態の野球用捕球具成形装置の摺動案内を取付た範囲の構成例である。
【図８】図８は本発明の実施の形態の野球用捕球具成形装置の摺動案内を取り外した構成例である。
【図９】図９は野球グラブから左手人差指を外に出した野球グラブの野球用捕球具成形装置の実施の形態の捕球部仮想導入路の説明図である。
【図１０】図１０は野球グラブから左手中指を外に出した野球グラブの野球用捕球具成形装置の実施の形態の捕球部仮想導入路の説明図である。
【図１１】図１１は野球用捕球具成形装置の実施の形態の捕球面と小径の仮想ボール体の比較を記した説明図である。
【図１２】図１２は野球用捕球具成形装置の実施の形態の捕球面と大径の仮想ボール体の比較を記した説明図である。
【図１３】図１３は野球用捕球具成形装置の実施の形態の捕球面と土手を示した説明図である。
【図１４】図１４は本発明の実施の形態の野球用捕球具成形装置の全体の構成例であり、野球グラブの事例の使用例の説明図である。
【図１５】図１５は本発明の実施の形態の野球用捕球具成形装置の補球面を示す構成例である。
【図１６】図１６は本発明の実施の形態の野球用捕球具成形装置の摺動案内を取り付けた構成例である。
【発明を実施するための形態】
【００３４】
以下、本発明の実施の形態について、図面に基づいて説明する。なお、実施の形態において、図示の同一記号及び同一符号は、同一または相当する機能部分であるから、ここではその重複する説明を省略する。
図２乃至図１６を用いて、本実施の形態の説明を行う。
【００３５】
［実施の形態］
締付チャック１６の中心にあるハンマードリル出力を受けて、前記ハンマードリル出力の中心線(仮想中心も含む)で回転運動Ｒ及び直線運動Ｖを行う野球用捕球具成形装置にあって、ハンマードリル出力の回転機構１０は廻転切替スイッチ１２の指示を受けて、正転、逆転を行う。回転機構１０は、廻転切替スイッチ１２の動作で、正転、逆転を行う機構であり、廻転切替スイッチ１２の正転、逆転指示されたメインスイッチ１１の入切に従って、回転機構１０内部に配設された図示しない電機子１３の回転を行う。廻転切替スイッチ１２の正転、逆転指示された回転方向は、メインスイッチ１１の入切に従って、特定された廻転方向で定められた直線で伸縮出力を行う。
【００３６】
ハンマードリル出力設定器１４は、直線機構２０と回転機構１０が図２の廻転切替スイッチ１２の正転、逆転指示されたメインスイッチ１１に従って出力される。回転機構１０の回転運動Ｒは、廻転切替スイッチ１２の正転、逆転指示されたメインスイッチ１１の入切に従って指定された特定方向に回転する。
回転及び直線運動を行うハンマードリル出力設定器１４は、廻転切替スイッチ１２の正転、逆転指示を受け、それに従って廻転切替スイッチ１２の正転、逆転指示されたハンマードリル出力設定器１４に従って回転運動Ｒ、直線運動Ｖ、廻転運動及び直線運動の特定動作を行う。
即ち、回転運動Ｒ及び／または直線運動Ｖを行うハンマードリル出力設定器１４は、回転及び直線運動を行うハンマードリル出力設定器１４の直線運動を重畳するものである。
【００３７】
また、直線運動設定部１５は、左右の回転運動Ｒに直線方向に伸縮する。その伸縮運動Ｖとして直線運動設定部１５で直線往復動を行う。直線運動設定部１５の具体例としては、マキタ(Ｍakita)ＨＲ２６３１Ｆ、ＨＲ２６０１Ｆ、ＨＲ２３００１Ｆ、ＨＲ４０３０Ｃ、ＨＲ２０２ＤＺＫ等のハンマードリルは、回転及び直線運動を行う直線運動設定部１５を有している。
【００３８】
直線運動設定部１５は、直線運動機構の具体例として、「マキタ」の製造に限られるものではなく、一般的に、「ハンマードリル」と呼称されているものであれば、使用可能である。例えば、「ＢＯＳＣＨ」、「ＶＯＬＴＡＧＡ」、「ＨＩＫＯＫＩ」、「パナソニック」の販売製品は使用が可能である。
回転機構１０の中心軸及び直線運動設定部１５は何れも中心が通過する締付チャック１６は、回転機構１０及び直線運動設定部１５の何れも「ハンマードリル」の中心が通過する位置にある。
【００３９】
弾性部材１８Ａと弾性部材１８Ｂは、補助レバー１７が載置される上リング３１及び下リング３２からなるスタンド３０で補助レバー１７を挟持するものである。弾性部材１８Ａと弾性部材１８Ｂの上面は傾斜ゴム１８ａと傾斜ゴム１８ｂから構成されている。傾斜ゴム１８ａと傾斜ゴム１８ｂは、補助レバー１７を挟持し、自己の振動によって傾斜ゴム１８ａ及び傾斜ゴム１８ｂの厚みが、飛び出し難くなっている。弾性部材１８Ａと弾性部材１８Ｂの厚みは傾斜によって、作業シャフト１９、冷却機構５０、仮想ボール体７０Ａの垂直線はスタンド３０の垂直線Ｐ0と同一である。
【００４０】
弾性部材１８Ａ、１８Ｂの上面の傾斜ゴム１８ａと傾斜ゴム１８ｂの厚みは、補助レバー１７の長さ方向、補助レバー１７の幅方向に図示しない金具を使用して締め付けている。したがって、回転機構１０の上面に拘束されて、傾斜ゴム１８ａと傾斜ゴム１８ｂに補助レバー１７が支持されるから、補助レバー１７で、仮想ボール体７０の垂直線の中心線Ｐ0が廻転円を描くことになる。
具体的には、傾斜ゴム１８ａと傾斜ゴム１８ｂの厚みの変化は僅少であり、結果は、作業シャフト１９に固定される。
【００４１】
金属製からなる上リング３１は、同じく金属製からなる下リング３２に溶接接続またはボルト・ナットによって一定に螺合固着されている。下リング３２は、皮革４０に対して野球グラブ１００を重ね置きし、野球グラブ１００と図２、図３、図７及び図８、１５、図１６に示す皮革４０との間で上からハンマードリル出力(作業シャフト１９の機械的中心)を機能させることにより、皮革４０及び野球グラブ１００に外力を与えている。
皮革４０は、野球グラブ１００の下敷きとなって機能するもので、上部から仮想ボール体７０Ａ，７０Ｂの垂直線である中心線Ｐ0を上下に衝突させるもので、中心線Ｐ0に当接し、往復動し、皮革４０の構成体である筋等を５〜１０回の打ち加えによって柔らかくする。弾性を弱くする。即ち、反発力を弱くする。
なお、皮革４０は金網とすることができるし、平面な皮革４０或いは合板を皮革４０に、合成樹脂板に変えることができる。したがって、皮革４０は特定の形態及び材料が限定されるものではない。
【００４２】
野球グラブ１００を図７、図８、図１１乃至図１６に示すように開くと、小指芯止め側、即ち、硬球野球ボール２００の表面は小指側からボールが侵入して、ウェブ１０３間、即ち、親指と人指指の間のポケットに当接して補給される。
しかし、ヘリ皮１０５はグローブのヘリ（縁)を覆う皮であるから、皮の三次元空間の占有率は、譬え、人差指であっても、中指であっても、ここを通過するには違和感を禁じ得ない。
【００４３】
小指芯止め２０１側が弱いと、野球グラブ１００側から野球ボール２００が落球し、簡単な凡フライであっても、補球できない場合がある。土手１０８についても、掌で硬球野球ボール２００の速度や球力の入っている程度を検知するから適当な弾性が必要である。
図７乃至図１６に示すように、弾性部材１８Ａと弾性部材１８Ｂが作業シャフト１９の先端よりも下部、前記仮想ボール体７０Ａ、７０Ｂよりも上部に位置する冷却機構５０を具備し、前記ハンマードリルの中心軸に対し、前記ハンマードリル出力に冷却機構５０及び仮想ボール体７０Ａ、７０Ｂを設け、必要に応じて、それらの中間に図６のように、摺動案内６０を設けそれを二次元的に移動させると、位置が異なる弾性部材１８Ａと弾性部材１８Ｂは、弾性変化により、図１２に示すように、０〜５°の変化を作ることができる。
【００４４】
直線運動設定部１５の締付チャック１６から突出した作業シャフト１９よりも下部に位置し、仮想ボール体７０Ａ、７０Ｂの上部に位置する本実施の形態の冷却機構５０は、本実施の形態では、アルミニウム板の４片〜８片の羽根で形成されている。
具体的には、締付チャック１６から突出したハンマードリル出力、即ち、締付けチャック１６にアルミニウム板の４片〜８片の羽根を固着している。作業シャフト１９は鋼、チタン、アルミニウム板の周囲を巻き込んだものである。４枚乃至８枚の羽根はハンマードリル出力に接合されており、勿論、４枚以下、８枚以上の羽根とすることもできる。この場合には、野球用捕球具成形装置の制御重量を考慮する必要がある。
【００４５】
一見すると糸巻状である摺動案内６０及び上端部６２及び下端部６３は、円筒状のハンマードリル出力に挿入されており、摺動案内６０によって垂線とハンマードリル出力の半球体との間には、半球体の垂直線Ｐ0から離れる位置にハンマードリル出力の垂直線Ｐ0との間の角度を調整することにより、野球グラブ１００に外力を与えている。
また、作業シャフト１９には、その周りに環状溝６５が形成され、そこに弾性に富んだストッパー６１が装着されていて、摺動案内６０はその長さとストッパー６１の間を上下移動する。
【００４６】
仮想ボール体７０Ａ，７０Ｂは、重さ３００ｇ〜重さ２ｋｇ程度の硬式野球ボール２００に見做している。仮想ボール体７０Ａ，７０Ｂは、野球グラブ１００に傷を付けないように木材を圧密加工したものを錘として使用している。仮想ボール体７０Ａ，７０Ｂは図６のように、仮想ボール体７０Ａのカバー７１によって重さ３００〜２ｋｇ程度の硬式ボールと見做している。金属製のカバー７１と仮想ボール体７０Ａとは接着剤によって接合している。勿論、金属製のカバー７１と仮想ボール体７０とを金属のボルト・ナツトで固着してもよいし、接着剤で接着してもよい。
【００４７】
金属製からなる上リング３１は小径に、下リング３２は大径に形成されている。下リング３２は６本の支柱４１，４２，４３，４４，(支柱４５、支柱４６は図略)に皮革４０を介して接続されている。下リング３２は６本の支柱４１，４２，４３，４４，(支柱４５、支柱４６図略)によって、野球グラブ１００の必要な個所に外力が供給されるようになっている。下リング３２は６本の支柱４１，４２，４３，４４，４５，４６に限定されるものではなく、安定して載置可能な支柱が３本以上であればよい。図２及び図３、図６、図１１に示すように、上リング３１は小径、下リング３２は大径に形成されて、スタンド３０を構成している。
【００４８】
野球グラブ１００を乗せた皮革４０は、スプリング８１、スプリング８２、スプリング８３、スプリング８４及び図示しない複数のスプリング、スプリング列(スプリングの長さの変化)により、野球グラブ１００を乗せた状態で皮革４０との間に３〜１０ｍｍ以下であればよい。野球グラブ１００を乗せた状態で、皮革４０との間に１０ｍｍ程度の隙間に設定するのは、野球グラブ１００、ミット等に受ける球筋を一義的に決定するものである。
【００４９】
皮革４０に野球グラブ１００を乗せた時、スプリング８１、スプリング８２、スプリング８３、スプリング８４及び図示しない複数のスプリング、スプリング列(スプリングの長さの変化)により、球筋を形骸化している。野球グラブ１００に公式ボールが入るには、球筋通過するときには負荷が大きく、野球グラブ１００、ミット等に入った時には一義的に固定されるものである。皮革４０は、落球しない球筋を形成するポケットに如何に誘導するかを形成するものである。
なお、以下の説明でポケットとは、落球しない球筋を形成する捕球面を形成するもので、硬式野球ボール２００から輪郭を形成した円を一般にポケットと呼んでいます。
硬式野球ボール２００から輪郭を形成した捕球面を一般にポケットと呼んでいますが、これは、野球グラブ１００毎に決まった形状を有するのである。
【００５０】
野球グラブ１００を図８乃至図１６に示すように開くと、図１４に示す硬式球(ＮＰＢ統一試合球)２００は、羊毛、天然皮革(牛革)、ゴム、コルク、アクリル、ポリスチレン、綿等から構成されており、弾性に富んでいる。したがって、野球グラブ１００を硬式野球(ＮＰＢ統一試合球)２００でたたいても、硬式野球２００及び野球グラブ１００が同時に弾性変形し、野球グラブ１００を変形させる程度にまで変形するには行かない。
【００５１】
図６に示すように、仮想ボール体７０Ａ、７０Ｂは、ハンマードリル出力である垂直線Ｐ0に対して、摺動案内６０に水平方向の外力を作用させて中心線を得ている。
したがって、水平に移動とハンマードリルの垂直線ＰOの範囲で弾性変形することができる。
特に、ハンマードリル出力である垂直線ＰOによって野球グラブ１００の特定の面に球筋の皮革を解すことができる。
【００５２】
野球グラブ１００の開いた形状の図７、図８乃至図１６は、仮想ボール体７０Ａ、７０Ｂから見れば、細い外径の仮想ボール体７０Ａよりも、太い外径の仮想ボール体７０Ｂの方が球筋の皮革を解すことになる。しかし、単位面積に当たる変化が小さくなるから、細い仮想ボール体７０Ａの使用が好適である。
野球グラブ１００の開いた形状の野球グラブ１００の図１１は、硬式球ＮＰＢの硬式野球ボール２００を野球グラブ１００が同時に弾性変形し、野球グラブ１００を変形させる程度にまで変形することはない。
【００５３】
皮革４０に野球グラブ１００を設定した時、スプリング８１、スプリング８２、スプリング８３、スプリング８４及び図示しない複数のスプリング、スプリング列(スプリングの長さの変化)により、球筋を導くように野球グラブ１００対して、野球グラブ１００にボールが入るには、捕球の球筋を通過するときには負荷が大きくなり、野球グラブ１００、ミット等に入る時には一義的に固定されるものである。
【００５４】
また、使用状態を示す図９乃至図１０は、左手人差指１０２を野球グラブ１００の図９の補給面１０１から食み出させている。使用状態を示す図１０は、左手中指１０４を野球グラブ１００の図１１のように形成する食み出させた使用である。
【００５５】
前記ハンマードリル出力の中心に半球体を形成してなる半径の小さい仮想ボール体７０Ａと、半径の大きい仮想ボール体７０Ｂでは、半径の小さい仮想ボール体７０Ａでは、ヒラ裏(捕球面の裏側)を叩いて、ヒラ裏の弾性変化を作るとき、単位面積当たりの上下動が大きいほど、ヒラ裏の弾性変化を大きくすることができる。
【００５６】
しかし、半径の小さい仮想ボール体７０Ａでは、ヒラ裏１１１を叩いて、ヒラ裏１１１の弾性変化を作るとき、単位面積当たりの上下動が大きいから、仮想ボール体７０Ｂの弾性変化も大きくなる。このとき、半径の小さい仮想ボール体７０Ａではヒラ裏１１１を叩いて弾性変化を作るとき、叩いてない個所と、叩いてある箇所との差が大きくなるから、それを考慮してヒラ裏(野球グラブ１００の手を入れる構成部分)１１１を叩く仮想ボール体７０Ａ、仮想ボール体７０Ｂを選択する必要がある。
【００５７】
前記ハンマードリル出力よりも下部に位置し、かつ、前記仮想ボール体７０Ａ，７０Ｂの上部に位置する冷却機構５０は、締付チャック１６側によって堅固に接続されている。作業シャフト１９の上端部は締付チャック１６に噛まれており、摩擦熱の発生により、その摩擦熱を除去するためにアルミニウム板または銅板の４片〜８片の羽根で形成したが、具体的には、締付チャック１６から突出したハンマードリル出力に、アルミニウム板、鋼板、チタン板、銅板、真鍮板、鉄板等の使用が可能であり、人為的に熱伝導の大小は大差が感じられなかった。
【００５８】
金属製からなる下リング３２は、皮革４０に対して野球グラブ１００を重ね置きし、野球グラブ１００と皮革４０との間で上からハンマードリル出力を作業シャフト１９に機能させることにより、皮革４０及び野球グラブ１００に外力を与えている。本実施の形態では、皮革４０及び野球グラブ１００に外力を与えているが、皮革４０に変えて、金属板、網板等を使用することもできる。特に、フロア等の上で作業するには金属板の使用が望ましい。
【００５９】
作業シャフト１９の上端部側には、締付チャック１６側によって堅固に接続されている。作業シャフト１９の上端部は締付チャック１６に噛まれており、摩擦熱の発生により、その摩擦熱を除去するために、作業シャフト１９が設けられている。
本実施の形態で使用する作業シャフト１９は、上部に配設され、糸巻状によって、人が握って水平方向に移動させることよって、仮想ボール体７０Ａ、仮想ボール体７０Ｂの軌道を異にして、半径の小さい仮想ボール体７０Ａではヒラ裏を叩いて弾性変化を作るとき、叩いてない個所と、叩いてある箇所との差が大きくなるから、それを考慮してヒラ裏を叩くことになる。
【００６０】
本実施の形態の野球用捕球具は、硬式野球、軟式野球、ソフトボール等の球技の野球用捕球具に関するもので、例えば、硬式野球、軟式野球、ソフトボール等の特定球筋に案内すべく野球用捕球具に使用する形状を整える成形装置に関するものである。
【００６１】
図５に記載した右または左の回転運動Ｒ及び膨張伸縮する直線運動Ｖとして同一中心状で回転運動Ｒ及び直線運動Ｖを行い、前記同一中心で回転運動Ｒ及び直線運動Ｖを行う締付チャック１６を介してハンマードリル出力を得て、垂直線上で回転運動Ｒ及び直線運動Ｖを行う野球用捕球具成形装置において、締付チャック１６を介して前記ハンマードリル出力である配設した半球体からなる仮想ボール体７０Ａと、前記ハンマードリル出力、締付チャック１６よりも下部、前記仮想ボール体７０Ｂよりも上部に位置する冷却機構５０を具備するものである。
【００６２】
この実施の形態の野球用捕球具成形装置は、左右の回転運動から直線的に伸縮する回転運動Ｒ及び直線運動Ｖを行い、その締付チャック１６を介して得るハンマードリル出力として回転運動Ｒ及び直線運動Ｖを行うハンマードリル出力を用いる成形装置は、マキタ(Ｍakita)ＨＲ２６３１Ｆ、ＨＲ２６０１Ｆ、ＨＲ２３００１Ｆ、ＨＲ４０３０Ｃ、ＨＲ２０２ＤＺＫ等のハンマードリルは、本実施の形態として使用でき、格別の左右の回転運動Ｒから伸縮する回転及び直線運動Ｖを行い、その出力として回転運動Ｒ及び直線運動Ｖを行うハンマードリル出力を格別に用意しなくとも、格別な機構を用意しなくとも専用機として使用できる。
【００６３】
また、前記ハンマードリル出力である締付チャック１６の前記同一垂直線上に配設した仮想ボール体７０Ａは下半分が半球体からなる。仮想ボール体７０Ａの下半分が半球体からなるのは、最下端が野球グラブ１００の弾性を弱くする箇所に弾性力を強く充てるもので、単位面積当たりの外力が大きくなるようにしている。勿論、底面は平面としてもよいが、曲面とした方が、何れかの場所で、野球グラブ１００の圧力を上げることができるから好適となる。
【００６４】
そして、締付チャック１６を介してハンマードリル出力よりも下部、仮想ボール体７０Ａ、７０Ｂよりも上部に位置する放熱フィン５１、５２、５３、５４、５５、５６、即ち、冷却機構５０は、野球用捕球具成形装置として相対する振動により、発熱するので、事前に放熱して装置の寿命を長くすることができる。
冷却機構５０は、アルミニウム板で形成しているから、熱交換を効率良く行うことができる。この冷却機構５０は、６片からなる放熱フィン５１、５２、５３、５４、５５、５６を所要しているが、２片以上であればよく、冷却機構５０に対する傷の入り難さから４片以上であればよい。
【００６５】
また、ハンマードリル出力よりも下部に位置し、かつ、摺動案内６０の上部に位置する冷却機構５０は、アルミニウム板の４片乃至８片で形成されている。
仮想ボール体７０Ａ，７０Ｂは、前記ハンマードリル出力よりも下部に、かつ、前記仮想ボール体７０Ａ，７０Ｂの上部に位置する冷却機構５０は、アルミニウム板の４片乃至８片で形成されているから、冷却効率を挙げることができる。
なお、仮想ボール体７０Ａ，７０Ｂ及び冷却機構５０及び作業シャフト１９を、作業シャフト１９の金属の一体物として形成することができる。また、作業シャフト１９と仮想ボール体７０Ａ，７０Ｂ及び冷却機構５０とを組み付けてもよい。
【００６６】
本実施の形態の前記ハンマードリル出力は、それを受ける冷却機構５０及び仮想ボール体７０Ａ，７０Ｂから構成されているので、熱を発生する個所が冷却機構５０及び仮想ボール体７０Ａ，７０Ｂから構成されているので、前記仮想ボール体７０Ａ，７０Ｂが全体の仮想ボール体７０Ａ，７０Ｂの荷重が重いことから、摺動過熱は仮想ボール体７０Ａ，７０Ｂに加わることなく、冷却機構５０を高効率で冷却することができる。
【００６７】
本実施の形態の野球用捕球具成形装置は、前記ハンマードリル出力よりも下部に位置し、かつ、前記仮想ボール体の上部な位置する冷却機構は、アルミニウム板または銅板の４片乃至８片で形成されている通りである。発明者らの実験によれば、アルミニウム板の４片乃至８片でアルミニウム板の厚み、及びアルミニウム板の形状、熱伝導の在り方からすれば、アルミニウムの４片〜８片の何れかで構成されていれば、野球用捕球具成形装置としての最適な冷却方法を選択ことができる。
【００６８】
前記ハンマードリル出力よりも下部、仮想ボール体７０Ａ，７０Ｂよりも上部に位置する冷却機構５０する野球用捕球具成形装置は、前記ハンマードリルの軸心に対し、前記ハンマードリル出力に同芯して冷却機構５０、仮想ボール体７０Ａ，７０Ｂを設けたものであり、冷却機構５０と仮想ボール体７０Ａ，７０Ｂの間には、摺動案内６０を摺動自在に嵌められ、上下に摺動自在となっている。
したがって、本実施の形態は、冷却機構５０、摺動案内６０及び仮想ボール体７０Ａ，７０Ｂから構成されているので、人為的に仮想ボール体７０Ａ，７０Ｂを二次元平面として移動したいときには、摺動案内６０を握って水平方向に移動することにより、前記仮想ボール体７０Ａ，７０Ｂの最下面を二次元平面に沿って移動させることができる。
【００６９】
ハンマードリル出力の中心とは、半球体を形成してなる人為的に仮想ボール体７０Ａ，７０Ｂに、冷却機構５０、摺動案内６０及び仮想ボール体７０Ａ，７０Ｂから構成されているので、仮想ボール体７０Ａ，７０Ｂの何れでも、省略したり、仮想ボール体７０Ａ，７０Ｂの１／２をボルト・ナットで取り外したり、作業シャフト１９を縦に２分割することができる。
【００７０】
半球体を形成してなる人為的に仮想ボール体７０Ａ，７０Ｂに、冷却機構５０、摺動案内６０及び仮想ボール体７０Ａ，７０Ｂから構成され、仮想ボール体７０Ａ，７０Ｂの何れでも、摺動案内６０を取り付けることができ、取り付け、取り外しに差を感じることがない。
特に、摺動案内６０を水平方向に移動させると、仮想ボール体７０Ａ，７０Ｂの位置が変化、軽快に制御ができる。
【００７１】
仮想ボール体７０Ａと仮想ボール体７０Ｂと比較すると、仮想ボール体７０Ａの半径が小さく、仮想ボール体７０Ｂの半径が大きい。仮想ボール体７０Ａの半径が小さいことは、単位面積当たりの仮想ボール体７０Ａの半径が小さいことを意味する。したがって、仮想ボール体７０Ｂよりも仮想ボール体７０Ａの方が小径であればそれだけ皮革４０の筋の解離が容易になる。しかし、最初から仮想ボール体７０Ａの方が小径であれば、それだけ皮革４０の筋の解離が容易になるものの、仮想ボール体７０Ａの方が小径であれば、その結果が残るから、仮想ボール体７０Ａと仮想ボール体７０Ｂとの大小関係を考慮して解離を行うべきである。
本実施の形態では、仮想ボール体７０Ａを先行させて、次いで、仮想ボール体７０Ｂによって解離している。しかし、仮想ボール体７０Ａをピンポイントで叩くものであるから同じ位置を複数回叩く必要がある。したがって、解離しようとする成形装置をメモリに記憶させて自動解離を行うとよい。
【００７２】
回転運動Ｒ及び直線運動Ｖとして中心軸上で回転運動Ｒ及び直線運動Ｖを行い、前記同一中心線上で回転運動Ｒ及び直線運動Ｖを行う締付チャック１６の中心位置であるハンマードリル出力として、垂直線上で回転運動Ｒ及び直線運動Ｖを行う野球用捕球具成形装置において、締付チャック１６の中心位置であるハンマードリル出力である前記中心線上に配設した半球体からなる仮想ボール体７０Ａ，７０Ｂと、前記ハンマードリル出力よりも下部、前記仮想ボール体７０Ａ，７０Ｂよりも上部に位置する冷却機構５０を具備する。
【００７３】
締付チャック１６の中心位置であるハンマードリル出力よりも下部に位置し、かつ、前記仮想ボール体７０Ａ，７０Ｂの上部に位置する冷却機構５０は、アルミニウム板または銅板、真鍮板等の４乃至８片で形成されているものである。
【００７４】
締付チャック１６の中心位置であるハンマードリル出力より冷却機構５０及び仮想ボール体７０Ａ，７０Ｂから構成されているので、熱を発生する個所が冷却機構５０及び仮想ボール体７０Ａ，７０Ｂから構成されているので、仮想ボール体７０Ａ，７０Ｂが全体の仮想ボール体７０Ａ，７０Ｂの荷重が重いことになる。
【００７５】
締付チャック１６の中心位置であるハンマードリル出力よりも下部、前記仮想ボール体よりも上部に位置する冷却機構５０を具備する野球用捕球具成形装置は、前記ハンマードリル出力の中心軸に対し、前記ハンマードリル出力に同芯して冷却機構５０及び前記仮想ボール体７０Ａ，７０Ｂを設けたものである。
【００７６】
締付チャック１６の中心位置であるハンマードリル出力よりも下部は、冷却機構５０及び仮想ボール体７０Ａ，７０Ｂから構成されているので、人為的に仮想ボール体７０Ａ，７０Ｂを二次元平面として移動したいときには、摺動案内６０を握って水平方向に移動することにより、前記仮想ボール体７０Ａ，７０Ｂの最下面を二次元平面に沿って移動させることができる。摺動案内６０は、省略しても前記冷却機構５０及び前記仮想ボール体７０Ａ，７０Ｂから構成されているので、摺動案内６０を省略しても使用できる。
【００７７】
冷却機構５０及び仮想ボール体７０Ａ，７０Ｂの間に摺動案内６０が配設されているから、人為的に仮想ボール体７０Ａ，７０Ｂを二次元平面として移動したいときには、摺動案内６０を握って水平方向に移動することにより、仮想ボール体７０Ａ，７０Ｂの最下面を二次元平面として移動させることができる。
仮想ボール体７０Ａは、仮想ボール体７０Ｂの直径が仮想ボール体７０Ｂの直径よりも小さいから、図１４に示すポケット１２１よりも仮想ボール体７０Ａの直径で何度も解くのが望ましい。図１４に示すポケット１２１及びウェブに向かって硬式球ホールが移動を停止する。図９に示すポケット１２１は、本来、野球グラブのジャストミートの位置を意味する。
なお、図１４に示すポケット１２１は、捕球面という場合もある。
【００７８】
ここで、ポケット１２１の径と仮想ボール体７０Ａの直径との間に寸法差があっても、仮想ボール体７０Ａの直径の下面は、半球であるから、仮想ボール体７０Ａと皮革４０の筋の解離がそれらの軸心を中心に容易に分離可能となる。
逆に、ポケット１２１の径と仮想ボール体７０Ｂの直径との間に寸法差があると、仮想ボール体７０Ｂの直径の下面は、半球であるから、仮想ボール体７０Ａと皮革４０の筋の解離がそれらの軸心を中心に容易に分離可能となる。ポケット１２１の径と仮想ボール体７０Ｂの直径との間に寸法差が少ないものは、仕上げを行う場合に使用するのが望ましい。
【００７９】
垂直線上で回転運動Ｒ及び直線運動Ｖを行う締付チャック１６の中心にあるハンマードリル出力を行う野球用捕球具成形装置において、ハンマードリル出力、即ち、締付チャック１６よりも下部、仮想ボール体７０Ａ、７０Ｂよりも上部に位置する冷却機構５０と、ハンマードリル出力である前記同一中心線上に配設した半球体からなる仮想ボール体７０Ａ，７０Ｂと、冷却機構５０及び仮想ボール体の間で構成された作業シャフト１９とを具備するものである。
【００８０】
本実施の形態の野球用捕球具成形装置は、前記ハンマードリル出力より冷却機構５０及び仮想ボール体７０Ａ，７０Ｂが構成の一部となっているので、摩擦熱を発生する個所が前記冷却機構５０及び仮想ボール体７０Ａ，７０Ｂから構成されており、前記仮想ボール体７０Ａ，７０Ｂが全体の仮想ボール体７０Ａ，７０Ｂの荷重が重いことである。
ハンマードリル出力より冷却機構５０及び仮想ボール体７０Ａ，７０Ｂから摩擦熱が生じているが、仮想ボール体７０Ａ，７０Ｂが自由端になっているから、摩擦熱の発生は冷却機構５０側が大きい。
【００８１】
冷却機構５０及び仮想ボール体７０Ａ，７０Ｂの作業シャフト１９間で構成されているから、仮想ボール体７０Ａ，７０Ｂの最下面を二次元平面に沿って移動することができ、摺動案内６０は、省略しても冷却機構５０及び仮想ボール体７０Ａ，７０Ｂから構成されているので、作業シャフト１９を省略しても全体という構成で使用できる。
【００８２】
本実施の形態の野球用捕球具成形装置は、冷却機構５０及び仮想ボール体７０の作業シャフト１９間に摺動案内６０が配設されているから、人為的に二次元平面として移動処理したいときには、摺動案内６０を握って水平方向に移動することにより、前記仮想ボール体７０Ａ，７０Ｂの最下面を二次元平面として移動させることができる。
【００８３】
摺動案内６０を握って水平方向に移動することにより、作業シャフト１９が水平方向に移動するが、仮想ボール体７０Ａ，７０Ｂの下面が曲面で、しかも、その曲がりが、曲率半径からきているから、小径の仮想ボール体７０Ａと大径の仮想ボール体７０Ｂでは、原理的には、細い程、処理ができるが、傾斜ゴム１８ａと傾斜ゴム１８ｂの弾性により、弾性部材１８Ａと弾性部材１８Ｂの傾斜を変化させるが、作業シャフト１９の基本構造を変化させるものではない。
【００８４】
本実施の形態では、仮想ボール体７０Ａ，７０Ｂの下面と皮革４０との間で、垂直線上で回転運動Ｒ及び直線運動Ｖを行う締付チャック１６の中心にあるハンマードリル出力を行う野球用捕球具成形装置である。
また、野球用捕球具成形装置として、ハンマードリル出力、即ち、締付チャック１６よりも下部、仮想ボール体７０Ａ、７０Ｂよりも上部に位置する冷却機構５０と、ハンマードリル出力である前記同一中心線上に配設した半球体からなる仮想ボール体７０Ａ，７０Ｂと、冷却機構５０及び仮想ボール体の間で構成された作業シャフト１９とを具備するものである。
【００８５】
傾斜ゴム１８ａと傾斜ゴム１８ｂの弾性により、弾性部材１８Ａと弾性部材１８Ｂの傾斜を変化させるのは、Ｗｅｂ(網)、ヘリ裏、芯とじ、ヘリ革等の弾性を変化させるにも同様に使用できる。
【符号の説明】
【００８６】
１０，Ｒ      回転機構
１２      廻転切替スイッチ
１４      ハンマードリル出力設定器
１５      直線運動設定部
１６      締付チャック
１７      補助レバー
１９      作業シャフト
２０，Ｖ  直線機構
３０      スタンド
４０      皮革
５０      冷却機構
６０      摺動案内
７０Ａ，７０Ｂ      仮想ボール体
１００    野球グラブ
２００    野球ボール(硬式野球ボール)
【要約】      （修正有）【課題】合成樹脂の被膜層を使用することなく、皮革に繰り返し荷重変化を与え、捕球を容易化すると共に強度を向上させ型崩れ等を防ぐ野球用捕球具を提供する。【解決手段】回転運動及び直線運動として同一中心線上で回転運動及び直線運動を行い、前記同一中心線上で回転運動及び直線運動を行うハンマードリル出力として、垂直線上で回転運動及び直線運動を行う野球用捕球具成形装置において、ハンマードリル出力である同一中心線上に配設した半球体からなる仮想ボール体７０Ａと、ハンマードリル出力よりも下部、前記仮想ボール体７０Ａよりも上部に位置する冷却機構５０を具備するものである。ここでは、同一中心線上に配設した半球体からなる仮想ボール体７０Ａによって、野球グラブの皮革の繊維を解き弾性を変化させる。【選択図】図３【図１】
0006986298.tif 000002
【図２】
0006986298.tif 000003
【図３】
0006986298.tif 000004
【図４】
0006986298.tif 000005
【図５】
0006986298.tif 000006
【図６】
0006986298.tif 000007
【図７】
0006986298.tif 000008
【図８】
0006986298.tif 000009
【図９】
0006986298.tif 000010
【図１０】
0006986298.tif 000011
【図１１】
0006986298.tif 000012
【図１２】
0006986298.tif 000013
【図１３】
0006986298.tif 000014
【図１４】
0006986298.tif 000015
【図１５】
0006986298.tif 000016
【図１６】
0006986298.tif 000017